(57)【要約】      （修正有）【課題】害虫駆除用薬剤の効果を長期間にわたって持続でき、環境に悪影響を及ぼすことがなく、大量の薬剤を使用する必要も無い害虫駆除具を提供する。【解決手段】樹木の枝葉部分１２を被覆体２２で覆い、幹１１の下方に害虫回収手段２４を固定し、被覆体２２の下端縁と害虫回収手段２４の外周縁を連結手段２３で着脱自在に連結すると共に、被覆体２２に薬剤散布機に連結したパイプ２８を取り付け、このパイプ２８より被覆体２２の内部に薬剤を散布して枝葉１２や幹１１に付着している害虫を害虫回収手段２４で回収する。【選択図】図２
0003156762.tif 000002
【実用新案登録請求の範囲】
【請求項１】
樹木の枝葉部分を被覆体で覆い、幹の下方に害虫回収手段を固定し、前記被覆体の下端縁と害虫回収手段の外周縁を連結手段で着脱自在に連結すると共に、前記被覆体に薬剤散布機に連結したパイプを取り付け、このパイプより被覆体の内部に薬剤を散布して枝葉や幹に付着している害虫を害虫回収手段で回収する樹木用害虫駆除装置。
【請求項２】
樹木の上方の枝葉部分を上部被覆体で覆い、下方を下部被覆体で覆うと共に、幹の下方に害虫回収手段を固定し、
前記上部被覆体の下端縁と下部被覆体の外周縁を連結手段で着脱自在に連結し、かつ前記下部被覆体の内周縁と害虫回収手段の外周縁を連結手段で着脱自在に連結すると共に、前記下部被覆体に送風機に連結したホースを取り付け、前記樹木に薬剤散布機に連結したパイプを固定し、
このパイプより前記上部被覆体と下部被覆体の内部に薬剤を散布して枝葉や幹に付着している害虫を害虫回収手段で回収する樹木用害虫駆除装置。
【考案の詳細な説明】
【技術分野】
【０００１】
本考案は、街路樹や公園などの樹木に集まる害虫を、被覆体と薬剤を使用して駆除する樹木用害虫駆除装置に関するものである。
【背景技術】
【０００２】
樹木に被害を与える害虫を、薬剤の散布によって駆除する方法としては、殺虫剤を樹木の葉や幹に直接撒布して、害虫を殺す方法が広く行われている。この方法は手軽にできるが、害虫駆除の効果を上げるために薬剤撒布を何度も繰り返し行う必要がある上に、散布された殺虫剤が周囲に拡散して環境に悪影響を及ぼすという問題点や害虫が下に落ちてきて、毛虫等のとげが身体に刺さり痒くなる等の被害が発生する等の問題点があった。
そのため、特許文献１に記載された発明が提案されている。
【先行技術文献】
【特許文献】
【０００３】
【特許文献１】特開２００１−９１号公報
【０００４】
特許文献１記載の発明は、図１１、図１２に示すように、帯状に形成された保持帯１２０の片面側に、害虫駆除用薬剤を塊状に固めて表面から薬剤成分が徐々に溶け出すようにした固形薬１６０を保持させ、前記保持帯１２０を、前記固形薬１６０を保持した側が内側になるように樹木の幹１８０に固定バンド２６０を巻き付けて、樹木の幹に固形薬１６０を固定するようにする樹木用害虫駆除具１００である。
【０００５】
この発明は、害虫駆除用薬剤の殺虫効果を長期間にわたって持続させることができ環境に悪影響を及ぼすことがなく、大量の薬剤を使用する必要もないという効果を有する。
【考案の概要】
【考案が解決しようとする課題】
【０００６】
しかしながら、上記特許文献１記載の発明は、幹１８０を降りて樹木の根元付近の土中へ越冬する害虫が保持帯１２０と幹１８０の間に潜り込んだり、あるいは幹１８０の上を移動している害虫が保持帯１２０と幹１８０の間に潜り込むことがあり、それらの害虫は駆除できる。しかし、樹木の枝や葉に発生した害虫、たとえば毛虫などは駆除することができない。
【０００７】
本考案は、上記のような問題点を解決するために考案されたもので、樹木の枝葉部分全体を被覆体で覆い、薬剤をその内部に散布することで、少量の薬剤で殺虫効果を長時間にわたって持続でき、かつ薬剤の周囲への散逸を防ぎ環境に悪影響を及ぼすことがない害虫用駆除装置を提供することを目的とする。
【課題を解決するための手段】
【０００８】
本考案の要旨とするところは、樹木の枝葉部分を被覆体で覆い、幹の下方に害虫回収手段を固定し、前記被覆体の下端縁と害虫回収手段の外周縁を連結手段で着脱自在に連結すると共に、前記被覆体に薬剤散布機に連結したパイプを取り付け、このパイプより被覆体の内部に薬剤を散布して枝葉や幹に付着している害虫を害虫回収手段で回収する樹木用害虫駆除装置である。
【０００９】
本考案の要旨とするところは、樹木の上方の枝葉部分を上部被覆体で覆い、下方を下部被覆体で覆うと共に、幹の下方に害虫回収手段を固定し、前記上部被覆体の下端縁と下部被覆体の外周縁を連結手段で着脱自在に連結し、かつ前記下部被覆体の内周縁と害虫回収手段の外周縁を連結手段で着脱自在に連結すると共に、前記下部被覆体に送風機に連結したホースを取り付け、前記樹木に薬剤散布機に連結したパイプを固定し、このパイプより前記上部被覆体と下部被覆体の内部に薬剤を散布して枝葉や幹に付着している害虫を害虫回収手段で回収する樹木用害虫駆除装置である。
【考案の効果】
【００１０】
本考案の樹木用害虫駆除装置によれば、構成が簡単で樹木への取り付け取り外しも簡易迅速に行える上に、少量の薬剤で殺虫効果を長時間にわたって持続でき、薬剤の周囲への散逸を防ぎ環境に悪影響を及ぼすことがなく、駆除した害虫を容易かつ安全に回収できる等の効果を奏する。
【図面の簡単な説明】
【００１１】
【図１】本考案の実施例１の取り付け順序を示す説明図
【図２】本考案の実施例１の取り付け順序を示す説明図
【図３】本考案の実施例１の使用状態を示す説明図
【図４】本考案の実施例１の使用状態を示す説明図
【図５】本考案の実施例１の害虫回収ネットの平面図
【図６】本考案の実施例２の取り付け順序を示す説明図
【図７】本考案の実施例２の使用状態を示す説明図
【図８】本考案の実施例２の使用状態を示す説明図
【図９】本考案の実施例２の下部被覆体の平面図
【図１０】本考案の実施例２の害虫回収ネットの平面図
【図１１】従来例の説明図
【図１２】従来例の説明図
【考案を実施するための形態】
【００１２】
本考案の樹木用害虫駆除装置は、樹木の枝葉部分全体をネットあるいはシートを用いて覆い、幹の下方に前記ネットあるいはシートと連結した害虫回収ネットを固定すると共に、前記ネットあるいはシートの下部に薬剤散布機に連結したパイプを取り付けてなり、このパイプより枝葉全体に薬剤を散布して害虫を前記害虫回収手段で回収するものである。
【実施例１】
【００１３】
本考案の実施例１は図１ないし図５に示すもので、樹木の枝葉部分１２全体を被覆体であるネット２２で覆い、幹１１の下部に害虫回収手段である害虫回収ネット２４を固定し、前記ネット２２の下部に、薬剤散布機（図示せず）に連結したパイプ２８を取り付けた構成である。
【００１４】
本実施例を樹木に取り付ける順序を説明する。
まず図１において、クレーン２１でネット２２を吊り下げ、樹木の上方から樹木の枝葉部分１２の表面に沿ってネット２２を降ろしていき、枝葉部分１２の表面全体をネット２２で覆う。
【００１５】
前記ネット２２は透湿防水性を有するネット状材質によって構成されているため、空気は通すがネット２２内部に散布された薬剤は外部に漏れず、かつ雨が降っても内部に通さないため薬剤の効力が長時間にわたって持続する。
また、前記ネット２２の下端縁には全周にわたって絞りベルト２２ａを設け、かつ下端縁の一部には連結手段であるファスナ２３が構成されている。    
【００１６】
一方、樹木の幹１１には駆除されて落ちてくる害虫を受け取るための害虫回収ネット２４を固定する。
この害虫回収ネット２４は前記ネット２２と同様の材質によって構成し、図示のように下部を膨らませて断面略Ｕ字形の害虫回収部２５を構成したリング状であり、内周縁に設けた固定手段２６で幹１１の周囲に固定する。この固定手段２６は、ベルト式の締結具など公知のものを使用する。
【００１７】
また、この害虫回収ネット２４は外周縁に、前記ネット２２の下端のファスナ２３に対応するファスナ２３を設けてある。図中符号２９は、害虫回収ネット２４の両端を連結してリング状にするためのファスナである。
【００１８】
次いで、図２に示すように、前記絞りベルト２２ａを絞り、ネット２２の下端のファスナ２３を害虫回収ネット２４の外周縁のファスナ２３と着脱自在に連結して、枝葉全体をネット２２で覆う。その後、ネット２２の下部に設けたパイプ取付口２７に、薬剤散布機（図示せず）に連結しているパイプ２８の先端を取り付ける。
【００１９】
上記のように構成した本実施例の作用を説明する。
図３に示すように、ネット２２で枝葉部分１２の表面全体を覆った後、パイプ２８よりネット２２内へ薬剤を散布する。この薬剤は高圧で散布されるためネット２２内部に充満し、矢印で示すように枝葉部分１２全体にまんべんなく散布されていくのである。符号１０は害虫である。
【００２０】
薬剤散布を停止して、２、３日放置した後、上記と逆の順序でネット２２を外す。この間、薬剤の効果で枝葉部分１２にいる害虫１０，１０・・が駆除されて下方の害虫回収ネット２４に落下していくのである（図４参照）。その後、害虫回収ネット２４を、ネット２２と幹１１より外せば害虫を容易かつ安全に回収できるのである。
【００２１】
このように本実施例によれば、樹木に対してネット２２や害虫回収ネット２４の取り付け、取り外しが容易に行え、効率の良い樹木の害虫駆除が行える。また、ネット２２の材質が透湿防水性を有するため、薬剤がネット２２から外部に漏れるのを最小限にとめることができ、かつネット２２は空気が通るため樹木に悪影響は与えず、雨に対しても防水機能を発揮する等、環境を損なうことがない。
【実施例２】
【００２２】
本考案の実施例２は、図６ないし図１０に示すものである。
本実施例は、前記実施例１と同様の作用、効果を有するものであるが、枝葉部分が上方にあり、幹が比較的長い樹木を対象としているため、構成が異なる。
【００２３】
実施例２を樹木に取り付ける順序を説明する。
図６において、クレーン２１でネット３２を吊り下げ、樹木の上方から樹木の枝葉部分１２の表面に沿ってネット３２を降ろしていき、枝葉部分１２の全体をネット３２で覆う。
本実施例のネット３２は、前記実施例１と同様の透湿防水性材質であり、下端縁全周にわたって連結手段としてファスナ３３を取り付ける。
一方、薬剤散布用のパイプ３８を幹１１の表面に沿って固定し、その先端を樹木の天辺付近に配置する。
【００２４】
前記ネット３２の下端に、シート３５を着脱自在に取り付ける。
このシート３５は図９に示すようにリング状であり、内側表面の所定箇所にロープ３４を係止するためのロープの固定具３６を複数構成すると共に、表面の一部にホース４０を挿入するための開口部３７を設けている。さらに、内周縁に連結手段であるファスナ２３ａを取り付けてある。
このシート３５の材質は特に限定されず通常の布、ビニール等のシート材を使用できる。
図中符号３９は、シート３５の両端を連結してリング状にするためのファスナである。
一方、樹木の幹１１には、前記実施例１と同様の形状で図１０に示す、外周縁に連結手段としてファスナ２３ａを設けた害虫回収ネット２４を固定する。符号４８は、前記薬剤散布用のパイプ３８を通すための孔である。
【００２５】
前記シート３５を設置する場合、図６、図７に示すようにシート３５表面のロープの固定具３６にロープ３４の一端を固定し、他端を樹木の枝に固定すると共に、外周縁のファスナ３３でネット３２のファスナ３３と連結する。
一方、シート３５の内周縁は、ファスナ２３ａによって害虫回収ネット２４のファスナ２３ａと着脱自在に連結している。
【００２６】
その後、図８に示すように、シート３５の下部に設けた開口部３７に、送風機（図示せず）に連結しているホース４０の先端を取り付ける。
そして、薬剤散布機から送られてくる薬剤を薬剤散布用のパイプ３８からシート３５とネット３２内部に散布し、同時にホース４０を介して送風機から風を送り、矢印で示すように薬剤をまんべんなく枝葉部分１２にいきわたらせる。
【００２７】
この後、所定期間を経てからシート３５とネット３２を前記と逆の順序で取り外し、害虫回収ネット２４を取りはずして害虫（図示せず）を回収する。
【００２８】
このように、本実施例によれば、枝葉部分が上方にあり、幹が比較的長い樹木において、ネットとシートを組合わせて用いることにより、効率的な害虫駆除が行えるのである。
【符号の説明】
【００２９】
１１  幹
１２  枝葉部分
２１  クレーン
２２  ネット
２３  連結手段（ファスナ）
２３ａ  連結手段（ファスナ）
２４  害虫回収手段（害虫回収ネット）
２５  害虫回収部
２９  ファスナ
２８  パイプ
３２  ネット
３３  連結手段（ファスナ）
３４  ロープ
３５  シート
３６  ロープの固定具
３７  開口部
３８  薬剤散布用のパイプ
３９  ファスナ
４０  ホース
【図１】
0003156762.tif 000003
【図２】
0003156762.tif 000004
【図３】
0003156762.tif 000005
【図４】
0003156762.tif 000006
【図５】
0003156762.tif 000007
【図６】
0003156762.tif 000008
【図７】
0003156762.tif 000009
【図８】
0003156762.tif 000010
【図９】
0003156762.tif 000011
【図１０】
0003156762.tif 000012
【図１１】
0003156762.tif 000013
【図１２】
0003156762.tif 000014